(57)【要約】【課題】少ない消費電力で発光による避難誘導を可能とし、長時間に亘って誘導機能を保持できる自発光式誘導装置及び災害時誘導システムを提供する。【解決手段】誘導発光部１を発光させて導光板２内に光を導入して広い面積の誘導表示部３を発光させることで少ない光量で夜間における地震発生時の避難誘導を確実に行うことができると共に、誘導発光体１の発光時の消費電力量を抑えて長時間に亘って誘導機能を保持できる。【参照図】        図２【特許請求の範囲】
【請求項１】
太陽電池と、前記太陽電池により発電された電力を蓄電する蓄電手段と、該蓄電手段により供給される電力により発光する誘導発光体と、前記蓄電手段により作動する感震センサーと、前記誘導発光体を発光させる制御部とを備え、前記誘導発光体は発光による誘導表示を行う誘導表示部が設けられた導光板に光を入射するものとなされ、前記感震センサーがしきい値以上の震度を検知して発する信号を基に前記制御部が誘導発光体を発光させるものであることを特徴とする自発光式誘導装置。
【請求項２】
更に通常の夜間に発光により情報及び／又は存在を表示する通常発光体を備え、前記感震センサーがしきい値以上の震度を検知して発する信号を基に前記制御部が前記誘導発光体を発光させると共に、前記通常発光体を消灯させるものであることを特徴とする請求項１に記載の自発光式誘導装置。
【請求項３】
前記太陽電池は太陽電池用駆体に、前記誘導発光体及び誘導表示部は発光表示用駆体にそれぞれ収納され、前記蓄電手段、感震センサー及び制御部は、前記太陽電池用駆体又は前記発光表示用駆体のいずれか少なくとも一方に収納されていることを特徴とする請求項１又は２に記載の自発光式誘導装置。
【請求項４】
前記発光表示用駆体は、支柱に取り付けられて通常時はサインとして機能するものであることを特徴とする請求項３に記載の自発光式誘導装置。
【請求項５】
前記導光板は、両面発光するものであることを特徴とする請求項１〜４のいずれかに記載の自発光式誘導装置。
【請求項６】
前記太陽電池、蓄電手段、誘導発光体、感震センサー及び制御部は、金属製駆体内に収納されると共に、上面が前記保護透明板となされて路面に埋設され、通常時は誘導ブロックとして機能するものであることを特徴とする請求項１又は２に記載の自発光式誘導装置。
【請求項７】
前記太陽電池は、前面に太陽光を透過する保護透明板が設けられ、該保護透明板が導光板を兼ねるものであることを特徴とする請求項１〜６のいずれかに記載の自発光式誘導装置。
【請求項８】
前記請求項１〜７のいずれかに記載の自発光式誘導装置を適宜間隔をおいて複数設置し、地震の発生時に避難場所への誘導を行うことを特徴とする災害時誘導システム。
【発明の詳細な説明】
【技術分野】
【０００１】
本発明は、地震や水害などの災害時に避難する人に、発光により避難路を的確に示して誘導する自発光式誘導装置及び災害時誘導システムに関するものである。
【背景技術】
【０００２】
例えば特許文献１には、太陽電池と、該太陽電池にて発電された電力を蓄える蓄電池と、非常事態発生時にＯＮする非常時スイッチと、該スイッチを介して上記蓄電池に連なった非常時発光体とからなり、該発光体は避難誘導する指示を表示することを特徴とした非常用誘導灯が開示されている。
【０００３】
【特許文献１】特開平４−３０９１９８号公報
【発明の開示】
【発明が解決しようとする課題】
【０００４】
しかしながら、特許文献１に記載の如き非常用誘導灯では、非常時発光体の消費電力について何ら配慮されることがなく、発光時間が長時間に亘ると蓄電された電力が払底し、誘導機能を果たせなくなる恐れがある。特許文献１中に更に記載されるが如く、非常時発光体の輝度が装飾発光体の輝度より高められる場合には、その恐れはより高いものとなる。
【０００５】
本発明は上記の如き課題に鑑みてなされたものであり、少ない消費電力で発光による避難誘導を可能とし、長時間に亘って誘導機能を保持できる自発光式誘導装置及び災害時誘導システムを提供せんとするものである。
【課題を解決するための手段】
【０００６】
上記課題を解決するため、本発明は以下のような構成としている。すなわち、本発明に係わる自発光式誘導装置は、太陽電池と、前記太陽電池により発電された電力を蓄電する蓄電手段と、該蓄電手段により供給される電力により発光する誘導発光体と、前記蓄電手段により作動する感震センサーと、前記誘導発光体を発光させる制御部とを備え、前記誘導発光体は発光による誘導表示を行う誘導表示部が設けられた導光板に光を入射するものとなされ、前記感震センサーがしきい値以上の震度を検知して発する信号を基に前記制御部が誘導発光体を発光させるものであることを特徴とするものである。
【０００７】
また更に通常の夜間に発光により情報及び／又は存在を表示する通常発光体を備え、前記感震センサーがしきい値以上の震度を検知して発する信号を基に前記制御部が前記誘導発光体を発光させると共に、前記通常発光体を消灯させるものであることを特徴とするものである。
【０００８】
また前記太陽電池は太陽電池用駆体に、前記誘導発光体及び誘導表示部は発光表示用駆体にそれぞれ収納され、前記蓄電手段、感震センサー及び制御部は、前記太陽電池用駆体又は前記発光表示用駆体のいずれか少なくとも一方に収納されていることを特徴とするものである。
【０００９】
また前記導光板は、両面発光するものであることを特徴とするものである。
【００１０】
また前記発光表示用駆体は、支柱に取り付けられて通常時はサインとして機能するものであることを特徴とするものである。
【００１１】
また前記太陽電池は、前面に太陽光を透過する保護透明板が設けられ、該保護透明板が導光板を兼ねるものであることを特徴とするものである。
【００１２】
また前記太陽電池、蓄電手段、誘導発光体、感震センサー及び制御部は、金属製駆体内に収納されると共に、上面が前記保護透明板となされて路面に埋設され、通常時は誘導ブロックとして機能するものであることを特徴とするものである。
【００１３】
また本発明に係わる災害時誘導システムは、本発明請求項１〜７のいずれかに記載の自発光式誘導装置を適宜間隔をおいて複数設置し、地震の発生時に避難場所への誘導を行うことを特徴とするものである。
【発明の効果】
【００１４】
請求項１に記載の本発明に係わる自発光式誘導装置によれば、導光板を用いて少ない光量で広い面積の誘導表示部を発光させて、地震発生時の避難誘導を確実に行うことができると共に、誘導発光体の発光時の消費電力量を抑えて長時間に亘って誘導機能を保持できる。
【００１５】
また請求項２の発明によれば、通常発光体により通常の夜間においては情報提供を行うことができ、地震発生時にのみ通常発光体を消灯してその電力を誘導発光体の発光に用いることができ、誘導機能の保持を更に長時間とすることができ好ましい。
【００１６】
また請求項３の発明によれば、構成する機器類をそれぞれ太陽電池用駆体又は発光表示用駆体に収納しておくことで、装置の形成が容易なものとなり、また既存のサイン等への後付けも容易なものとでき好ましい。
【００１７】
また請求項４の発明によれば、通常時にサインとして機能することで、装置が違和感のないものとして設置でき好ましい。
【００１８】
また請求項５の発明によれば、サイン等に取り付けた場合において一体の装置により多方向への誘導表示を行うことができ好ましい。
【００１９】
また請求項６の発明によれば、地震発生時に発光による避難誘導を行う埋設型のブロックを形成するにおいて、構成する機器類が駆体内に収納されていることで設置は容易なものとなり、また通常時は誘導ブロックとして機能することで、装置が違和感のないものとして設置でき好ましい。
【００２０】
また請求項７の発明によれば、太陽電池への太陽光の入射を確保するにおいて、装置内で導光板と別に透明保護板の面積を確保する必要がなく好ましい。
【００２１】
また請求項８に記載の本発明に係わる災害時誘導システムによれば、夜間の地震発生時に停電が起こり周囲が暗闇になった場合でも、適宜間隔をおいて複数設けられた自発光式誘導装置が外部電力に頼ることなく蓄電手段に蓄電された電力を用いて誘導表示部を発光させて誘導表示部を視認させると共に、避難場所すべき場所を明りょうに指し示すことで、地震発生時に起こるパニック状態等を軽減して円滑且つ確実な避難場所への誘導を行うことができる。
【発明を実施するための最良の形態】
【００２２】
本発明に係わる最良の実施の形態について、図面に基づき以下に具体的に説明する。
図１は、本発明に係わる自発光式誘導装置の、実施の一形態を示す説明図である。自発光式誘導装置１００は、支柱Ｐに表示板状で内照式のサインＳと共に発光表示部を備えた発光表示用駆体１０が側方に向けて取り付けられ、支柱Ｐの上端には太陽光発電を行う太陽電池用駆体２０が取り付けられている。
【００２３】
図２は、図１に示した発光表示用駆体１０のＡ−Ａ線断面を示す断面図である。発光表示用駆体１０は、枠体Ｗ１の両面に誘導表示部３が設けられ、ＬＥＤである誘導発光体１から発光された光Ｌ１及びＬ２等は、導光板２内に入射されて、カッティング部２１により散乱されて両側面に光Ｌ３及びＬ４として放出されると共に、誘導表示部３を透過することで誘導表示部３が発光される。誘導発光体１の背面側には、漏洩光を反射して発光効率を高める反射鏡Ｒが配置され、枠体Ｗ１には支柱Ｐへの取付用の金具Ｍが取り付けられている。
【００２４】
ここで導光板２の両面側に設けられたカッティング部２１は、両面側それぞれについて設けられる位置が交互となされていることで、導光板２に入射された光Ｌ１及びＬ２等が、カッティング部２１により散乱されて導光板２外に放出される際に、反対側の面のカッティング部２１が誘導表示部３の円滑な発光に干渉するのを防止するようになされている。
【００２５】
図３は、図１に示した太陽電池用駆体のＢ−Ｂ断面を示す断面図である。太陽電池用駆体２０は、枠体Ｗ２の上面に太陽電池セルを備えた太陽電池４が設けられ、更に枠体Ｗ２内に電気二重層コンデンサである蓄電手段５、感震センサー６及び明るさセンサー７１を備えた制御部７が収納されている。太陽電池４により発電された電力は蓄電手段５に蓄電され、太陽電池用駆体２０内の機器に供給されると共に、制御部７を介して導線Ｃにより発光表示用駆体１０へと接続され、誘導発光体１及び内照式のサインＳの発光に係わる電力を供給するようになされている。
【００２６】
図４は、前記自発光式誘導装置１００の一連の動作を示すブロック図である。通常、制御部７の明るさセンサー７１が夜間であることを検知した状態では、内照式のサインＳが発光して描画された情報を周囲に提供するようになされている。ここで誘導発光体１については発光させておく必要はないが、発光状態としておいてもよい。地震が発生し、感震センサー６が停電により暗闇に転ずる恐れのあるしきい値以上の震度、例えば震度３以上の地震を検知すると、感震センサー６から信号が制御部７に発せられ、信号を受信した制御部７は誘導発光体１への電力供給を開始若しくは維持して、誘導表示部３を発光させる。このとき、制御部７は誘導発光体１への電力供給を行うと共に、内照式のサインＳへの電力供給を停止し、電力を節約して誘導発光体１の発光時間の延長を図るようになされている。
【００２７】
図５は、本発明に係わる他の実施形態を示すもので、自発光式誘導装置が誘導ブロックであるものの説明図である。自発光式誘導装置１００は、上方に開口した金属製駆体３０の上面に、パッキンＰを介して平板状の保護透明板Ｈが配置され、更に保護透明板Ｈの上面には誘導突起Ｔが配置されることで、自発光式誘導装置１００は路面に埋設された場合に、誘導突起Ｔにより通常時は誘導ブロックとして機能することができる。
【００２８】
図６は、図５の自発光式誘導装置１００の断面を示す断面図である。金属製駆体３０内には、電気二重層コンデンサである蓄電手段５、感震センサー６及び制御部７が収納され、更に保護透明板Ｈの下面に太陽光発電セルを備えた太陽電池４、及び保護透明板Ｈの一部が凹まされてＬＥＤである誘導発光体１が発光方向を水平面と平行に内側に向けて保護透明板Ｈ内に嵌入されている。更に保護透明板Ｈの下方には、ＬＥＤである通常発光体８が発光方向を上方に向けて配置されている。
【００２９】
誘導発光体１及び通常発光体８は、基板Ｋに取り付けられることで蓄電手段５，制御部７等と接続され、発光に係わる制御が行われる。保護透明板Ｈの下面にはカッティング部２１が設けられ、発光方向を内側に向けて設けられた誘導発光体１から発せられた光Ｌ５は、カッティング部２１により散乱され、上方に向かう光Ｌ６となされることで、透明保護板Ｈは導光板２を兼ねるものとなり得、導光板２を別体で設ける等する必要がなく構成が簡潔なものとできる。また通常発光体８から発せられた光Ｌ７は透明保護板Ｈを上方に通過し、上面から発光されるものとなる。透明保護板Ｈは太陽光を透過するものであり、その下方に配置された太陽電池４への太陽光の入射を妨げることがなく、またカッティング部２１も太陽光の入射にほとんど干渉することがなく、昼間における太陽電池４による電力の発生は円滑に行われる。
【００３０】
図７は、図６に示した自発光式誘導装置１００の、発光の状態を示す説明図である。通常時においては通常発光体８が点滅することで、自発光式誘導装置１００の存在が周辺の歩行者等に対して喚起される。地震発生時には、図４のブロック図に示される如く感震センサー６が地震を検知することで制御部７に信号が発せられ、誘導発光体１が発光されて保護透明板Ｈすなわち導光板２内に入射された光が上方に散乱され、例えば緑色等に着色された矢印状の誘導表示部３を発光させて避難誘導表示を行う。それと同時に、制御部７により通常発光体８が消灯され、電力を節約すると共に、誘導表示部３の発光への光の干渉をなくして、誘導表示部３の発光輝度がそれ程高くない場合でも避難誘導の表示が確実に行うようになされる。
【００３１】
本発明に係わる自発光式誘導装置を構成する、誘導発光体１及び通常発光体８は消費電力が小さく光源としての寿命が長いＬＥＤを用いるのが好ましいが、発光するものであれば特に限定されるものではなく蛍光管等を用いることができる。導光板２については、入射される光が透過できまたカッティング部２１の形成が可能なものであれば、ガラス、透光性の合成樹脂であるアクリル樹脂、ポリカーボネート樹脂等を用いることができる。誘導表示部３は誘導発光体１からの光を透過して避難誘導に係わる表示を表示できるものを適宜用いてよい。太陽電池４、蓄電手段５、感震センサー６は公知のものを適宜用いてよく、制御部７についても感震センサー６との組み合わせで発光を制御できるものを適宜用いてよい。
【００３２】
図８は、本発明に係わる災害時誘導システムの実施の一形態を示す説明図である。誘導サイン状の自発光式誘導装置１００Ａと、誘導ブロック状の自発光式誘導装置１００Ｂとが、適宜間隔をおいて複数設置され、地震の発生時にそれら自発光式誘導装置１００Ａ及び１００Ｂに備えられた誘導表示部３が外部電源に頼ることなく発光して避難場所への方向を指し示すことで、地震発生時が夜間で停電等が起こって周囲が暗闇になった場合でも避難場所２００への確実な避難誘導を行い、パニック状態の発生等を回避して災害の被害を最小限に留めることができる。
【図面の簡単な説明】
【００３３】
【図１】本発明に係わる自発光式誘導装置の、実施の一形態を示す説明図である。
【図２】図１のＡ−Ａ断面を示す断面図である。
【図３】図１のＢ−Ｂ断面を示す断面図である。
【図４】本発明に係わる自発光式誘導装置の、一連の動作の例を示すブロック図である。
【図５】本発明に係わる自発光式誘導装置の、他の実施形態を示す説明図である。
【図６】図５に示した自発光式誘導装置の断面図である。
【図７】図５及び図６に示した自発光式誘導装置の、発光状態を示す説明図である。
【図８】本発明に係わる災害時誘導システムの、実施の一形態を示す説明図である。
【符号の説明】
【００３４】
１    誘導発光体
２    導光板
２１  カッティング部
３    誘導表示部
４    太陽電池
５    蓄電手段
６    感震センサー
７    制御部
８    通常発光体
１０  発光表示用駆体
２０  太陽電池用駆体
３０  金属製駆体
１００  自発光式誘導装置
２００  避難場所
Ｈ    透明保護板
Ｌ１〜Ｌ７  光
【図１】
2005163274.tif 000002
【図２】
2005163274.tif 000003
【図３】
2005163274.tif 000004
【図４】
2005163274.tif 000005
【図５】
2005163274.tif 000006
【図６】
2005163274.tif 000007
【図７】
2005163274.tif 000008
【図８】
2005163274.tif 000009